(57)【要約】【課題】工具の寿命を正確に判定できる信頼性の高い工具寿命検出方法及び工具寿命検出装置を提供する。【解決手段】工具寿命検出装置は、測定部である電流計８と信号処理装置９から構成されている。信号処理装置９の比較判定部９６は、平均値演算部９２で新たに演算された平均電流値と、その平均電流値以前に測定された平均電流値の最大値（極大値Ａｍａｘ）との差分値が第１基準差分値を超えた場合に、工具３の劣化状態が第１段階から第２段階へ移行したと判定する。さらに、新たに測定され記憶された平均電流値と、その平均電流値以前に測定され、且つ工具３の劣化状態が第２段階へ移行した時以降に測定された平均電流値の最小値である極小値Ａｍｉｎとの差分値が第２基準差分値を超えた場合に、工具３が寿命に達したと判定する。【選択図】図６
2010162623.tif 000002
【特許請求の範囲】
【請求項１】
被加工物を所定単位で順次加工する工具について、第１段階及び第２段階からなる劣化状態を経て寿命に達したことを検出する工具寿命検出方法であって、
前記所定単位毎の加工に要する前記工具への負荷値を測定し、新たに測定した前記負荷値と、それ以前に測定した前記負荷値の最大値との差分値が、予め定めた第１基準差分値を超えた場合に、前記工具の劣化状態が前記第１段階から前記第２段階へ移行したと判定する第１のステップ、
前記第１のステップ後、さらに前記負荷値を測定し、新たに測定した前記負荷値と、それ以前に測定し、且つ前記工具の劣化状態が前記第２段階へ移行した時以降に測定した前記負荷値の最小値との差分値が、予め定めた第２基準差分値を超えた場合に、前記工具が寿命に達したと判定する第２のステップを含むことを特徴とする工具寿命検出方法。
【請求項２】
請求項１記載の工具寿命検出方法であって、前記負荷値として、前記工具を駆動させる駆動手段の電流値、電力値、トルク値、動力値、及び回転角速度のいずれか一つまたは複数の測定値を用いることを特徴とする工具寿命検出方法。
【請求項３】
請求項１記載の工具寿命検出方法であって、前記負荷値として、前記工具を駆動させる駆動手段の電流値、電力値、トルク値、動力値、及び回転角速度のいずれかの測定値について、前記所定単位の加工に要する時間全体もしくはその一部における平均値、最大値、分散、及び最大値と最小値との差分値のいずれか一つまたは複数を用いることを特徴とする工具寿命検出方法。
【請求項４】
被加工物を所定単位で順次加工する工具について、第１段階及び第２段階からなる劣化状態を経て寿命に達したことを検出する工具寿命検出装置であって、
前記所定単位毎の加工に要する前記工具への負荷値を測定する測定部と、
前記測定部にて測定された前記負荷値を記憶する負荷値記憶部と、
前記負荷値記憶部に新たに記憶された前記負荷値と、それ以前に記憶された前記負荷値の最大値との差分値が、予め定めた第１基準差分値を超えた場合に、前記工具の劣化状態が前記第１段階から前記第２段階へ移行したと判定し、さらに前記負荷値記憶部に新たに記憶された前記負荷値と、それ以前に記憶され、且つ前記工具の劣化状態が第２段階へ移行した時以降に記憶された前記負荷値の最小値との差分値が、予め定めた第２基準差分値を超えた場合に、前記工具が寿命に達したと判定する比較判定部とを備えたことを特徴とする工具寿命検出装置。
【請求項５】
請求項４記載の工具寿命検出装置であって、前記比較判定部は、前記工具が寿命に達したと判定した場合に、前記工具の寿命検出を知らせる信号を出力する出力部を備えたことを特徴とする工具寿命検出装置。
【発明の詳細な説明】
【技術分野】
【０００１】
本発明は、機械加工に使用する工具の寿命を検出するための工具寿命検出方法及び工具寿命検出装置に関する。
【背景技術】
【０００２】
切削加工において使用される工具は、その個体差により折損までの寿命バラツキが大きい。このため、平均的な寿命を目安として一定の加工数で交換するという従来の寿命管理方法では、平均的な寿命に比して短い工具であった場合は、加工性能の低下により製品不良が発生する場合があった。また、平均的な寿命に比して長い工具であった場合は、寿命到達前に交換してしまうことによるロスコストが問題となる。また、部品加工数１個ずつについて工具の摩耗や欠損の状態観察を行い寿命判定する方法は、生産性の低下につながるため実用的ではない。
【０００３】
これに対し、工具の摩耗や欠損などを直接観察することなく、工具の寿命を検出する従来の工具寿命検出方法として、主軸モータの電力、動力、トルク、電流値などをリアルタイムで測定し、基準値と比較することで工具寿命を判定する方法がある。例えば特許文献１では、１部品の加工に係る主軸モータの最大消費電力もしくは電力振動振幅値を測定し、基準値と比較して工具の寿命を判定する方法が提示されている。また、特許文献２では、主軸モータにおける１部品の加工に係る累計消費電力量と、基準消費電力量とを比較して、工具の寿命を判定する方法が提示されている。この例では、基準消費電力量として、新品工具で加工した１つ目の部品加工データを使用している。
【先行技術文献】
【特許文献】
【０００４】
【特許文献１】特開平６−３２０３９６号公報
【特許文献２】特開２００５−２２０５２号公報
【発明の概要】
【発明が解決しようとする課題】
【０００５】
このように、従来の工具寿命検出方法は、加工による工具への負荷値である主軸モータの累積消費電力量や動力値、電流値のような絶対値に対して一定の基準値を設定し、その値と比較することにより工具の寿命判定を行っていた。しかし、加工機内に発生する突発的な振動、工具の製造バラツキ、温度等の使用環境の変動により、基準値に対する寿命比率が工具によって変わるため、正確な寿命判定が行えないという問題点があった。
【０００６】
また、工具による加工中に、リアルタイムでの測定値を基準値と比較した場合、工具寿命とは関係のない突発的な外乱で工具寿命と判定してしまう可能性があり、正確に工具の寿命を判定することができなかった。また、新品工具の初期状態を基準値とすることで工具の製造バラツキは反映できるが、初期状態のみで工具寿命が決定できるものではなく、寿命判定には十分ではなかった。
【０００７】
本発明は、上記のような問題点を解消するためになされたもので、工具の寿命を正確に判定できる信頼性の高い工具寿命検出方法及び工具寿命検出装置を提供することを目的とする。
【課題を解決するための手段】
【０００８】
本発明に係る工具寿命検出方法は、被加工物を所定単位で順次加工する工具について、第１段階及び第２段階からなる劣化状態を経て寿命に達したことを検出する工具寿命検出方法であって、所定単位毎の加工に要する工具への負荷値を測定し、新たに測定した負荷値と、それ以前に測定した負荷値の最大値との差分値が、予め定めた第１基準差分値を超
えた場合に、工具の劣化状態が第１段階から第２段階へ移行したと判定する第１のステップと、第１のステップ後、さらに負荷値を測定し、新たに測定した負荷値と、それ以前に測定し、且つ工具の劣化状態が第２段階へ移行した時以降に測定した負荷値の最小値との差分値が、予め定めた第２基準差分値を超えた場合に、工具が寿命に達したと判定する第２のステップを含むものである。
【０００９】
本発明に係る工具寿命検出装置は、被加工物を所定単位で順次加工する工具について、第１段階及び第２段階からなる劣化状態を経て寿命に達したことを検出する工具寿命検出装置であって、所定単位毎の加工に要する工具への負荷値を測定する測定部と、測定部にて測定された負荷値を記憶する負荷値記憶部と、負荷値記憶部に新たに記憶された負荷値と、それ以前に記憶された負荷値の最大値との差分値が、予め定めた第１基準差分値を超えた場合に、工具の劣化状態が第１段階から第２段階へ移行したと判定し、さらに負荷値記憶部に新たに記憶された負荷値と、それ以前に記憶され、且つ工具の劣化状態が第２段階へ移行した時以降に記憶された負荷値の最小値との差分値が、予め定めた第２基準差分値を超えた場合に、工具が寿命に達したと判定する比較判定部とを備えたものである。
【発明の効果】
【００１０】
本発明によれば、所定単位毎の加工に要する工具への負荷値が、加工数の増加とともに特有の変化を示す現象を利用することにより、工具の寿命を正確に判定できる信頼性の高い工具寿命検出方法及びこれを実施する工具寿命検出装置を提供することが可能である。
【図面の簡単な説明】
【００１１】
【図１】本発明の実施の形態１における工具寿命検出装置、工具、および被加工物の構成を示す構成図である。
【図２】本発明の実施の形態１における工具寿命検出装置の信号処理装置の構成を示すブロック図である。
【図３】本発明の実施の形態１における工具寿命検出装置の信号処理装置に入力される主軸モータ電流値と加工時間の関係（穴あけ加工時）を示す図である。
【図４】本発明の実施の形態１における1つの工具による穴あけ加工時の加工部品数と主軸モータの平均電流値との関係を示す図である。
【図５】本発明の実施の形態１において使用した穴あけ工具の磨耗状態を示す図である。
【図６】本発明の実施の形態１における工具寿命検出方法の手順を示す図である。
【図７】本発明の実施の形態１における工具寿命検出方法を図４に示す平均電流値変化に適用した例を示す図である。
【発明を実施するための形態】
【００１２】
本発明に係る工具寿命検出方法は、被加工物を所定単位（例えば１部品）で順次加工する工具について、第１段階及び第２段階からなる劣化状態を経て寿命に達したことを検出するものであり、以下に示す第１のステップと第２のステップを含んでいる。
【００１３】
第１のステップでは、所定単位毎の加工に要する工具への負荷値を測定し、新たに測定した負荷値と、その負荷値よりも以前に測定した負荷値の最大値との差分値が、予め定めた第１基準差分値を超えた場合に、工具の劣化状態が第１段階から第２段階へ移行したと判定する。
【００１４】
また、第２のステップでは、第１のステップ後、さらに負荷値を測定し、新たに測定した負荷値と、その負荷値よりも以前に測定し、且つ工具の劣化状態が第２段階へ移行した時以降に測定した負荷値の最小値との差分値が、予め定めた第２基準差分値を超えた場合に、工具が寿命に達したと判定する。
【００１５】
また、本発明に係る工具寿命検出装置は、上記の工具寿命検出方法を実施するものであり、所定単位毎の加工に要する工具への負荷値を測定する測定部と、測定部にて測定された負荷値を記憶する負荷値記憶部と、この負荷値記憶部に記憶された負荷値から工具が寿命に達したことを判定する比較判定部を備えている。
【００１６】
この比較判定部は、負荷値記憶部に新たに記憶された前記負荷値と、その負荷値よりも以前に記憶された負荷値の最大値との差分値が、予め定めた第１基準差分値を超えた場合に、工具の劣化状態が第１段階から第２段階へ移行したと判定する。さらに、新たに記憶された負荷値と、その負荷値よりも以前に記憶され、且つ工具の劣化状態が第２段階へ移行した時以降に記憶された負荷値の最小値との差分値が、予め定めた第２基準差分値を超えた場合に、工具が寿命に達したと判定する。
【００１７】
以下に示す実施の形態１では、本発明における工具寿命検出方法が特に有効である穴あけ工具を対象とし、負荷値として１部品毎の主軸負荷電流値の平均値を用いている。本発
明が穴あけ工具に対し、特に有効である理由について説明する。穴あけ工具は刃部先端のみを使用して被削材を加工するため、先端刃部の摩耗が切削抵抗の変化に与える影響が顕著である。また、切削抵抗はねじりトルクとして主軸に伝播し、ねじりトルクの変動に伴ってインバータから供給される電流値も増減するため、電流値の変化によって切削抵抗の変化を観察することが容易である。
【００１８】
穴あけ工具を使用していると、まず工具外周部の摩耗進行に伴って切削抵抗が増加し、電流値が上昇する。次に、工具刃部先端のすくい面の摩耗に伴い一時的に切れ味が上昇して切削抵抗および電流値が減少した後、急激な摩耗が刃部先端の全面に進行して切削抵抗および電流値が上昇し、折損に至る。ただし、穴あけ工具や被削財の種類（材質、形状）、および加工条件によっては電流値が単調に増加して折損に至る場合もあるため、電流値の上限値を設定し、上限値を超えた場合にも工具が寿命であると判定する方法も併用した方がより寿命検出の精度を向上できる。なお、本発明は穴あけ工具の寿命判定に特に有効であるが、穴あけ工具以外の工具についても適用することができる。
【００１９】
なお、負荷値としては、工具を駆動させる主軸モータ（駆動手段）の電流値、電力値、トルク値、動力値、及び回転角速度のいずれか一つまたは複数の測定値を用いることが可能である。さらに、これらの測定値について、所定単位の加工に要する時間全体もしくはその一部における平均値、最大値、分散、及び最大値と最小値との差分値のいずれか一つ又は複数を用いてもよい。この負荷値は、加工方法に応じてそれぞれ適切なものを設定することができる。
【００２０】
実施の形態１．
以下、本発明の実施の形態１である工具寿命検出方法及びこれを実施するための工具寿命検出装置について、図面に基づいて説明する。図１は、本実施の形態１における工具寿命検出装置、穴あけ工具、及び被加工物の構成を示す図であり、図２は、図１に示す工具寿命検出装置の信号処理装置の構成を示すブロック図である。
【００２１】
まず、本実施の形態１における穴あけ工具の構成及び動作について、図１を用いて説明する。加工機テーブル１には被加工物２が載置される。穴あけ工具３（以下、工具３と略す）は、ホルダ４とベアリング５を介して主軸６に取り付けられている。主軸６は、駆動手段としての主軸モータ７により駆動回転される。主軸モータ７により工具３を駆動回転させながら、図示しない駆動軸によって加工機テーブル１に載置された被加工物２に工具３を接近、接触させ、被加工物２を除去加工する。
【００２２】
次に、本実施の形態１における工具寿命検出装置について、図１を用いて説明する。工具寿命検出装置は、測定部である電流計８と、信号処理装置９から構成されている。電流計８は、主軸モータ７に流れる電流値を、所定単位（ここでは１部品）毎の被加工物２の加工に要する工具３への負荷値として測定する。信号処理装置９は、１部品に対する加工負荷電流値の平均値を算出し、各部品についてその平均値を記憶し、記憶された平均値の最大値もしくは最小値と現在（今回）の平均値との差を基準差分値と比較することで、工具３の寿命判定を行い、工具３の交換信号を出力する。
【００２３】
また、本実施の形態１における工具寿命検出装置は、信号処理装置９からの寿命検出の出力信号を受信して工具３を停止させるＮＣ装置１０を備えている。なお、ＮＣ装置１０によって工具３を停止させる構成の他に、信号処理装置９からの出力信号を受けて寿命を検出したことを表示装置に表示する構成、またはアラーム音により作業者に知らせる構成とすることも可能である。
【００２４】
次に、信号処理装置９の構成について図２を用いて説明する。信号処理装置９は、デー
タ記憶部９１、平均値演算部９２、平均値記憶部９３、極値演算／記憶部９４、基準差分値記憶部９５、比較判定部９６、データ記録部９７、及びデータ表示部９８を備えている。これらは例えば中央処理装置（ＣＰＵ）、ＲＯＭ、ＲＡＭ、不揮発メモリ、入力装置、出力装置、ハードディスク等と、これらを動作させるプログラムソフトにて構成され、電流計８からの電流信号を図示しないＡ／Ｄ変換器で変換されたデジタル信号で演算処理し、工具寿命を検出すると工具交換要求信号を出力する。
【００２５】
本実施の形態１では、主軸モータ７の電流値について、一つの部品毎の加工に要する時間全体もしくはその一部における平均値を負荷値として用いる（以下、この負荷値のことを平均電流値と称す）。負荷値記憶部であるデータ記憶部９１は、電流計８にて測定された電流値の信号を記憶し、平均値演算部９２は、一つの部品毎にその平均電流値を演算する。平均値演算部９２で求めた平均電流値は、平均値記憶部９３に記憶され、さらに極値演算／記憶部９４において、これまで記憶された平均電流値の最大値、最小値が演算され記憶される。
【００２６】
また、基準差分値記憶部９５は、予め定めた基準差分値（この値を超えたら工具が劣化状態の第1段階又は第２段階終了であると判断するための閾値）を記憶する。本実施の形
態１では、工具の劣化状態が第1段階から第２段階へ移行したと判定するための第１基準
差分値と、工具が第２段階の劣化状態から寿命に達したことを判定するための第２基準差分値を記憶している。
【００２７】
また、比較判定部９６は、平均値演算部９２で新たに演算された平均電流値と、その平均電流値よりも以前に平均値記憶部９３に記憶された平均電流値の最大値である極大値Ａｍａｘとの差分値が第１基準差分値を超えた場合に、工具３の劣化状態が第１段階から第２段階へ移行したと判定する。さらに、新たに測定され記憶された平均電流値と、その平均電流値よりも以前に測定され、且つ工具３の劣化状態が第２段階へ移行した時以降に測定された平均電流値の最小値である極小値Ａｍｉｎとの差分値が第２基準差分値を超えた場合に、工具３が寿命に達したと判定する。なお、極大値Ａｍａｘ及び極小値Ａｍｉｎについては後に図６を用いて具体的に説明する。
【００２８】
さらに、比較判定部９６は、工具３が寿命に達したと判定した場合に、工具３の寿命検出を知らせる信号を出力する出力部（図示せず）を備えている。データ記憶部９７は、比較判定部９６において判定された結果を記憶し、データ表示部９８は、比較判定部９６において判定された結果を表示する。
【００２９】
次に、本実施の形態１における工具寿命検出装置を用いて工具寿命を検出する方法について、図３〜図７に基づいて説明する。まず、穴あけ加工における加工時間に対する主軸モータ電流の変化について、図３を用いて説明する。図３は、工具３による穴あけ加工において、電流計８によって測定され信号処理装置９のデータ記憶部９１に入力される電流値と、加工時間の関係を示しており、縦軸は主軸モータ電流値、横軸は加工時間である。
【００３０】
この例における工具３は直径８．３ｍｍの穴あけ工具、被加工物（被削材）２は厚さ１００ｍｍの鉄材であり、工具３の回転数は３８００ｒｐｍ、送り速度は６００ｍｍ／ｍｉｎである。まず、工具３を主軸モータ７により回転させると、主に主軸６とベアリング５の摩擦によって回転数に応じた空転時負荷が発生し、図３に示す電流値Ａ０が出力される。この際、主軸６の回転開始時には慣性力により非常に大きな負荷電流値が出力される場合があるが、これは工具寿命と無関係であるため後述の演算から除外する。
【００３１】
次に、被加工物２に対し回転している工具３を一定の送り速度で接近させ、接触させると、切削抵抗により発生するねじりトルクが重畳され電流値は増加する。接触後、工具３
の送り速度を変化させずに加工を進め、穴あけが完了して工具３の移動を停止させると電流値は減少する。
【００３２】
このとき、図３に示すように、被加工物２と工具３が接触する際、予め設定された閾値である加工開始電流値Ａ１を上回った時点を加工開始時刻Ｔｘ、加工穴が貫通もしくは工具３の移動停止により加工開始電流値Ａ１を下回った時点を加工終了時刻Ｔｙと定義し、ＴｘからＴｙの間を加工時間としてその間の平均電流値Ａ（ｎ）を算出し、その値を平均値記憶部９３に記憶する。ここで、ｎは工具交換からの加工部品数を表す。また、加工開始電流値Ａ１は、空転時の電流値よりも大きく、且つ切削加工時（切削に到っていない、部品と工具との初期接触時や、切削後の穴あけ工具抜き去り時を除く加工時）の最小電流値よりも小さい範囲で任意に設定できる。
【００３３】
次に、工具３による加工部品数と平均電流値Ａ（ｎ）の変化について、図４を用いて説明する。図４は、工具３が折損に至るまでの加工部品数と平均電流値との関係を示しており、縦軸は平均電流値Ａ（ｎ）、横軸は加工部品数である。図４に示すように、加工部品数が１００個まで（ｎ＝１〜１００）の場合は、平均電流値は１５A程度で安定している
が、１００個以上（ｎ＞１００）になると平均電流値が上昇し始め、２０１個で極大値を示している。その後、２２１個まで平均電流値は減少し、再度上昇して２５０個で折損している。
【００３４】
図４に示すような平均電流値の変化は、工具摩耗状態と関連している。図５は、本実施の形態において使用した工具３の磨耗状態を示しており、図５（ａ）は穴あけ工具の外観、図５（ｂ）は新品時の工具先端刃部のすくい面外観、図５（ｃ）は加工部品数１８１個時点のすくい面外観、図５（ｄ）は２２１個時点のすくい面外観である。この例では、図５（ｃ）から図５（ｄ）の間、すなわち加工部品数１８１個から２２１個の間に、工具先端刃部のすくい面の著しい摩耗が観察されており、これにより一時的に切れ味が向上して電流値が減少し、その後急激な摩耗が工具先端刃部全面に進行して電流値が上昇して折損に至る現象が確認されている。
【００３５】
次に、本実施の形態１における工具寿命検出方法の手順について、図６に示すフローチャートを用いて説明する。まず、工具３を新品に交換すると、ステップ１（Ｓ１）に示すように、第１基準差分値［ΔAｓ１］と第２基準差分値［ΔAｓ２］が、基準差分値記憶部９５に設定される。第１基準差分値［ΔAｓ１］は、工具３の劣化状態が第１段階から第２段階へ移行したことを判定するための閾値であり、本実施の形態では［ΔAｓ１］＝３Ａと設定する。また、第２基準差分値［ΔAｓ２］は工具３が寿命に達したことを判定するための閾値であり、本実施の形態では［ΔAｓ２］＝５Ａと設定する。なお、第１基準差分値及び第２基準差分値は、工具３および被加工物２の組み合わせや加工条件により変化するものであり、事前に加工実験によって求めておくことが望ましい。
【００３６】
次に、ステップ２（Ｓ２）において、部品１個を加工する毎に負荷値としての平均電流値［Ａ（ｎ）］を平均値演算部９２において算出し、平均値記憶部９３に記憶する。さらに、ステップ３（Ｓ３）において、平均値記憶部９３に記憶されたデータをもとに、極値演算／記憶部９４によって平均電流値の極大値［Ａｍａｘ］を算出する。
【００３７】
ここで、ステップ４（Ｓ４）において、今回の測定値以前に測定された平均電流値の極大値と今回（ｎ個目）の平均電流値の差（［Ａｍａｘ］−［Ａ（ｎ）］）と、第１基準差分値［ΔＡｓ１］とを比較する。前者の方が大きい場合は、工具３の劣化状態が第２段階へ移行したと判定してステップ５（Ｓ５）に進み、第２段階へ移行時の部品数［ｋ］を記憶する。また、後者の方が大きい場合は、工具３の劣化状態が第２段階へ移行していないと判定してステップ２に戻り、次部品の加工を行う。
【００３８】
工具３の劣化状態が第２段階へ移行した後も引き続き、ステップ６（Ｓ６）において、部品１個を加工する毎に平均電流値［A（ｎ）］を平均値演算部９２において算出し、平
均値記憶部９３に記憶する。さらに、ステップ７（Ｓ７）において、平均値記憶部９３に記憶されたデータをもとに、極値演算／記憶部９４によって平均電流値の極小値［Ａｍｉｎ］が算出される。なお、極小値［Ａｍｉｎ］とは、工具３の劣化状態が第２段階へ移行した時（ｋ個目）以降に測定された平均電流値の最小値である。
【００３９】
ここで、ステップ８（Ｓ８）において、今回（ｎ個目）の平均電流値と、今回の測定値以前であって且つｋ個目以降に測定された平均電流値の極小値の差（［Ａ（ｎ）］−［Ａｍｉｎ］）と、第２基準差分値［ΔＡｓ２］とを比較する。前者の方が大きい場合は、工具が寿命に達したと判定してステップ９（Ｓ９）に進み、次部品の加工を行わず工具交換要求又は加工機停止の信号を出力する。また、後者の方が大きい場合は、工具が寿命に達していないと判定してステップ６に戻り、次部品の加工を行う。
【００４０】
以上、図６に示すフローチャートを用いて説明した工具寿命検出方法を、図４に示した主軸モータ電流値に対して適用した場合について、図７を用いて説明する。まず、工具交換後１００個加工までは、主軸モータの平均電流値は安定しており、それ以前の平均電流値の極大値［Ａｍａｘ］と平均電流値［Ａ（ｎ）］の差が第１基準差分値（ΔＡｓ１＝３Ａ）を超えることはない。また、１０１個目以降、平均電流値は増加傾向であるため、平均電流値の極大値と新たに測定した平均電流値の差が３Ａを超えることはない。
【００４１】
２０１個加工時点での電流値が極大値（［Ａｍａｘ］＝２６．８３Ａ）として極値演算／記憶部９４に記憶され、その後減少して２０６個時点で［Ａ（ｎ）］＝２３．１５Ａとなるため、平均電流値の極大値と今回の平均電流値の差が第１基準差分値すなわち３Ａを超える。これにより、工具３の劣化状態が第１段階から第２段階へ移行したと判定される。
【００４２】
次に、２２１個時点での電流値が極小値（［Ａｍｉｎ］＝２２．３５Ａ）として極値演算／記憶部９４に記憶され、その後増加して２４３個時点で［Ａ（ｎ）］＝２８．４０Ａとなるため、今回の平均電流値とそれ以前の平均電流値の極小値の差が第２基準差分値（ΔＡｓ２＝５Ａ）を超える。これにより、工具３が寿命へ到達したと判定され、工具交換要求または加工機停止の信号が出力され、実際に工具３の折損が発生する２５０個直前での工具交換が可能となる。
【００４３】
以上のように、本実施の形態１では、加工個数に伴う工具３への負荷値変化という工具加工に特有の現象、すなわち工具外周部の磨耗進行に伴い主軸モータ電流値が上昇し、次に工具刃部先端のすくい面の磨耗進行に伴い一時的に切れ味が向上して電流値が減少した後、急激な磨耗が刃部先端の全面に進行して折損に至る現象を利用して、工具寿命を判定するようにしたものである。この現象は再現性を有しており、外乱の影響よりも顕著に発現するため、高精度な寿命判定が行える。
【００４４】
また、リアルタイムでの測定値（負荷値）をそのまま基準値と比較するのではなく、今回の測定値とそれ以前の測定値の最大値または最小値との差分値を基準値と比較することにより、加工機内に発生する突発的な振動、工具の製造バラツキ、温度等の使用環境の変動による影響を受けにくく、正確な寿命判定を行うことができる。このように、本実施の形態１によれば、工具３の寿命を正確に判定できる信頼性の高い工具寿命検出方法及びこれを実施する工具寿命検出装置を提供することが可能である。
【００４５】
また、工具３の寿命を正確に判定することができるため、工具３により加工される製品
不具合、例えば、被加工物の欠損、面粗さ不良、形状精度不良等の発生頻度を小さくすることができ、歩留りが向上する。また、工具３を折損の直前まで使用できるため、工具費の削減が可能である。さらに、工具３の交換回数が減り、交換に伴う作業費を削減できるという効果が得られる。
【産業上の利用可能性】
【００４６】
本発明に係る工具寿命検出方法及び工具寿命検出装置は、機械加工を含む製造ライン等において、工具交換のタイミングを検知するための手段として利用することができる。
【符号の説明】
【００４７】
１  加工機テーブル、２  被加工物、３  穴あけ工具、４  ホルダ、５  ベアリング、６  主軸、７  主軸モータ、８  電流計、９  信号処理装置、１０  ＮＣ装置、
９１  データ記憶部、９２  平均値演算部、９３  平均値記憶部、
９４  極値演算／記憶部、９５  基準差分値記憶部、９６  比較判定部、
９７  データ記録部、９８  データ表示部。
【図１】
2010162623.tif 000003
【図２】
2010162623.tif 000004
【図３】
2010162623.tif 000005
【図４】
2010162623.tif 000006
【図５】
2010162623.tif 000007
【図６】
2010162623.tif 000008
【図７】
2010162623.tif 000009